(57)【要約】【課題】  ユーザが特別な操作せずに良好な通話環境となる映像表示装置を提供する。【解決手段】  電話端末からの信号を受信する受信部を有し、前記受信部の信号から電話端末の状態を検出する検出部と、映像表示装置と電話端末の距離を取得する距離情報抽出部と、前記距離情報抽出部から制御値を演算する距離情報演算部と、音を出力する音源と、通話を妨げる騒音源となる駆動装置と、を有し、前記距離演算部からの制御値と前記検出部の結果から音源と駆動装置の制御を行う事を特徴とする映像表示装置。【選択図】図１
2020107927.tif 000002
【特許請求の範囲】
【請求項１】
電話端末からの信号を受信する受信部を有し、
前記受信部の信号から電話端末の状態を検出する検出部と、
映像表示装置と電話端末の距離を取得する距離情報抽出部と、
前記距離情報抽出部から制御値を演算する距離情報演算部と、
音を出力する音源と、通話を妨げる騒音源となる駆動装置と、
を有し、
前記距離演算部からの制御値と前記検出部の結果から音源と駆動装置の制御を行うことを特徴とする映像表示装置。
【請求項２】
前記検出部は電話端末の通話開始状態と通話終了状態の判定を行い、
前記検出部で通話開始状態であったとき、自らの音源と駆動装置の制御記憶部に書かれた制御値を一時記憶部に格納し、
前記距離演算部で演算した制御値を制御記憶部に書き込むことを特徴とする請求項１に記載の映像表示装置。
【請求項３】
前記距離情報抽出部は前記受信部から取得した電波の受信強度から距離情報を取得することを特徴とする請求項１又は２に記載の映像表示装置。
【請求項４】
前記距離演算部は前記制御記憶部に書き込むためのテーブルを有し、
前記距離情報抽出部で取得した距離情報を用いて前記テーブルから制御値を選択することを特徴とする請求項１乃至３のいずれか一項に記載の映像表示装置。
【請求項５】
前記検出部で通話終了状態と判定されたとき、一時記憶部に格納された制御値を制御記憶部に書き込むことを特徴とする請求項１乃至４のいずれか一項に記載の映像表示装置。
【請求項６】
３つ以上の複数の電波受信部と２つ以上の複数の音源を有し、受信した信号から電話端末の相対座標を特定し、相対座標に応じて音源の制御を行う事を特徴とする請求項１乃至５のいずれか一項に記載の映像表示装置。
【請求項７】
各端末の持つ識別ＩＤを記憶する端末識別部を有し、複数の電話端末と通信をする場合、最も近い電話端末に対し自らの音源と駆動装置の制御を行う事を特徴とする請求項１乃至６のいずれか一項に記載の映像表示装置。
【請求項８】
前記音源はスピーカであることを特徴とする請求項１乃至７のいずれか一項に記載の映像表示装置。
【請求項９】
前記駆動装置はＦＡＮであることを特徴とする請求項１乃至８のいずれか一項に記載の映像表示装置。
【請求項１０】
映像を表示するための光源と、前記光源の温度検出手段を有し、
前記距離演算部で演算したＦＡＮに関する制御値を入れると温度が第一の閾値を越える場合、前記光源の明るさを落とすことを特徴とする請求項１乃至９のいずれか一項に記載の映像表示装置。
【請求項１１】
前記光源の明るさを落とした状態で温度が第二の閾値を越えた場合はＦＡＮ制御値の値を最大にし、前記第一の閾値以下となるまでＦＡＮ制御変更を禁止することを特徴とする請求項１０に記載の映像表示装置。
【請求項１２】
着信を検出する着信検知部と、自らの通話開始と終了時を判定する通話状態判定部を有し、前記端末情報として送信することを特徴とする請求項１乃至１１のいずれか一項に記載の電話端末。
【発明の詳細な説明】
【技術分野】
【０００１】
本発明は、画像表示装置に関する。
【背景技術】
【０００２】
従来、ＴＶやプロジェクタ等の画像表示装置で映画等の音声データを含むコンテンツを視聴中に電話がかかってきた場合、ユーザは良好な通話を行うためには席を離れたり、手動で画像表示装置の音量を下げる必要があった。
【０００３】
特許文献１や特許文献２には、ユーザと映像表示装置の距離を測定し、距離に応じて音声や画質、文字サイズ等を最適に調整する方法が開示されている。
【先行技術文献】
【特許文献】
【０００４】
【特許文献１】特開２０１１−１３８０３９号公報
【特許文献２】特開２０１１−１５０１２７号公報
【発明の概要】
【発明が解決しようとする課題】
【０００５】
しかしながら、特許文献１や特許文献２では、視聴中に電話がかかってくることが想定されておらず、通話のために離席する場合音量が大きくなり発明機能が邪魔となる可能性がある。
【０００６】
そこで、本発明の目的は、ユーザが特別な操作せずに良好な通話環境となる映像表示装置を提供することにある。
【課題を解決するための手段】
【０００７】
上記の目的を達成するために、本発明に係る映像表示装置は、
電話端末からの信号を受信する受信部を有し、
前記受信部の信号から電話端末の状態を検出する検出部と、
映像表示装置と電話端末の距離を取得する距離情報抽出部と、
前記距離情報抽出部から制御値を演算する距離情報演算部と、
音を出力する音源と、
通話を妨げる騒音源となる駆動装置と、
を有し、
前記距離演算部からの制御値と前記検出部の結果から音源と駆動装置の制御を行う事を特徴とする。
【発明の効果】
【０００８】
本発明に係る映像表示装置によれば、視聴中に電話がかかってきても特別な操作なしで良好な通話環境に変更できる。
【図面の簡単な説明】
【０００９】
【図１】本発明の実施例１に関わる映像表示装置の構成を示すブロック図である。
【図２】本発明の実施例１に関わる電話端末の構成を示すブロック図である。
【図３】本発明の実施例１に関わる映像表示装置のフローチャートである。
【図４】本発明の実施例１に関わる電話端末のフローチャートである。
【図５】本発明の実施例２に関わる映像表示装置の構成を示すブロック図である。
【図６】本発明の実施例２に関わる映像表示装置のフローチャートである。
【図７】本発明の実施例３に関わる映像表示装置の構成を示すブロック図である。
【図８】本発明の実施例３に関わる映像表示装置のフローチャートである。
【発明を実施するための形態】
【００１０】
以下、図面を参照して、本発明の実施例を詳細に説明する。各図において、同一の部材については同一の参照番号を付し、重複する説明は省略する。
【実施例１】
【００１１】
図１は本発明の実施例１に関わる映像表示装置の構成を示すブロック図である。なお映像表示装置としてプロジェクタを用いた場合の実施例について説明する。
【００１２】
映像表示装置の一種であるプロジェクタ１０１は、映像と音声を取り込むインターフェース部１１５と、音声出力用のスピーカ１０９、光源１１２を冷却するＦＡＮ１１１を有する。
【００１３】
最初に受信部１０２は電話端末１１６から通話状態を示す信号と電話端末からの距離情報を受信する。ここで、距離情報はＷｉ−Ｆｉ  ＡｗａｒｅやＢｅａｃｏｎのような電界強度を用いて取得する無線通信方式が望ましいが、固定電話のように座標が固定されている場合は値をユーザが直接入力してもよい。次に通話状態検出部１０３は受信した信号より、電話端末１１６の通話開始・終了を判断する。
【００１４】
まず第一に通話開始と判断された場合の動作を説明する。
【００１５】
プロジェクタ１０１は、距離情報を距離情報抽出部１０４により取得し、距離情報演算部１０５は内部に持つＬＵＴから音声とＦＡＮの制御値を決定する。そして音声／ＦＡＮ設定記憶部１０７は、自らが持つユーザが設定している値をＲＡＭ１０６に一時的に退避し、距離情報演算部１０５からの値を受け取り書き込む。この値を音声制御部１０８とＦＡＮ制御部１１０にそれぞれ送り、スピーカ１０９の音量とＦＡＮ１１１の回転数を下げるように駆動を行い、快適な通話環境をつくる。このとき設定したＦＡＮ制御値に対し光源１１２の温度を検出する温度検出部１１３の値が警告温度である第一の閾値を越える場合には、ＦＡＮ制御値はそのままで強制的に電源制御部１１４により光源１１２の明るさを落としエコモードに移行する。ここで光源１１２の温度が警戒温度である第二の閾値を越えた場合には、ＦＡＮ制御部１１０は先の距離情報演算部１０５からのＦＡＮ制御値を禁止し、光源１１２を消灯させ強制的にＦＡＮ１１１の回転数を最大まで上げて光源１１２を冷却する。このとき温度勾配をモニタし、冷却が追い付かないと判断される場合には光源を消灯させるようにするのが望ましい。なおユーザが着信に気づかないこともあるため、プロジェクタ１０１が着信を検知したら投射画面に着信を示す文字ないしマーク等を表示してユーザに通知してもよい。またインターフェース部１１５から字幕情報が入力されている場合、消音にして字幕を表示させてもよい。
【００１６】
第二に通話終了と判断された場合の動作を説明する。
【００１７】
通話状態検出部１０３で通話終了と判断されると、次に通話開始状態でＲＡＭ１０６に退避していた通話開始前の値を音声／ＦＡＮ設定記憶部１０７に書き戻し通常のスピーカ１０９とＦＡＮ１１１制御に戻る。このとき温度検出部１１３の値が第一の閾値を越えている場合にはＦＡＮ１１１の回転数を上げ光源１１２を冷却する。なお通話が終了しているため、ユーザは視聴しているものとして光源は可能な限り通常点灯させるのが望ましい。また、第二の閾値を越えている場合はエコモードに強制移行する。なお温度勾配をモニタするなどし、冷却できないと判断されるならば光源を消灯するのが望ましい。
【００１８】
図２は本発明の実施例１に関わる電話端末の構成を示すブロック図である。
【００１９】
電話端末１１６は内部に着信検知部１１７を持ち、着信後通話状態判定部１１８によりユーザが通話を開始あるいは終了したかを判断し、判定結果を送信部１１９で送信する。判定方法は一般の電話機器にある通話ボタンと終了ボタンで判断するのが簡易で望ましい。通話開始時の場合は、距離情報記憶部１２０の値も同時に送信する。なお通信方法はプロジェクタ側に通話状態と距離情報を送信できる方式であれば限定しない。
【００２０】
次にフローチャートについて説明する。
【００２１】
図３は本発明の実施例１に関わる映像表示装置のフローチャートである。図４は本発明の実施例１に関わる電話端末のフローチャートである。
【００２２】
まず図３のプロジェクタ１０１のフローチャートについて説明する。
【００２３】
ステップＳ１０１でプロジェクタ１０１は受信待ちの状態であり、電話端末１１６から信号を受信するとステップＳ１０２へ移行する。ここで電話端末１１６が通話を開始していた場合ステップＳ１０３で受信した情報から距離情報を取得し、ＬＵＴから最適な音量値とＦＡＮ制御値を選ぶ。この値を書き込むために、ステップＳ１０４で元々の制御値をＲＡＭへ一時的に退避した後ステップＳ１０６で選択した制御値を書き込み、ステップＳ１０７で通話中に警告温度まで温度が上昇しないかを監視をする。問題が無い場合には、そのままステップＳ１０８で電話端末１１６から通話終了の信号を貰うまで待機する。ここで警告温度まで温度上昇してしまったら、ステップＳ１１１でまず光源明るさを下げＳ１１２で警戒域まで温度上昇しないか監視する。それでも温度上昇していき警戒温度に達した場合ステップＳ１１３に遷移し光源を消灯、全てのＦＡＮ回転数を最大まで上げ冷却しステップＳ１０８の状態で待機する。最後にステップＳ１０９で電話端末１１６から通話終了の信号を受信したら、ステップＳ１１０でプロジェクタ１０１はステップＳ１０４でＲＡＭに退避していた制御値を書き戻し、通常動作に戻る。ただしフローチャートに記載していないが、このとき警告温度のままだった場合ＦＡＮ回転数を上げ冷却し、警戒温度だった場合には加えて光源明るさも下げるのが望ましい。
【００２４】
次に図４の電話端末１１６のフローチャートについて説明する。
【００２５】
電話端末１１６はステップＳ２０１で着信待ちの状態であり、ステップＳ２０２でユーザが電話を取る場合にステップＳ２０３に移行し端末情報を送信する。端末情報は通話を開始したという情報と、距離情報である。その後ステップＳ２０４で通話が終了すると、ステップＳ２０５で通話終了の信号を送りシーケンスを終了する。
【実施例２】
【００２６】
図５は本発明の実施例２に関わる映像表示装置の構成を示すブロック図である。
【００２７】
プロジェクタ１０１は３つ以上の受信部である受信部１０２ａ、受信部１０２ｂ、受信部１０２ｃを持ち、電話端末１１６から信号を受信した時に電話端末１１６とそれぞれの受信部との相対距離を距離情報演算部１０５で演算する。なお相対距離の検出方法は実施例１に準ずる。この結果からプロジェクタ１０１に対する電話端末１１６の相対方向が検出できる。スピーカ１０９ａ、スピーカ１０９ｂは２つ以上のステレオスピーカである。例えばスピーカ１０９ａがプロジェクタの右側にあり、電話端末１１６もプロジェクタ１０１に対し右方向にある場合、スピーカ１０９ａの音量を大きく下げるように制御することで他のユーザの視聴を妨げずに良好な通話環境を実現できる。複数のスピーカに対する具体的な制御の詳細は省略するが、構成としては例えばスピーカ１０９ａを基準としてＬＵＴを用意し、方向によりスピーカ１０９ｂの制御値に重みづけを行う方法が簡易である。またＦＡＮについても同様に電話端末１１６の相対方向を使って制御をしてもよい。
【００２８】
図６は本発明の実施例２に関わる映像表示装置のフローチャートである。
【００２９】
ステップＳ２０１で電話端末１１６ａ、電話端末１１６ｂ、電話端末１１６ｃは信号受信し、ステップＳ２０２で通話状態を判定する。次にステップＳ２０３で距離情報演算部１０５はそれぞれの受信部と端末との相対距離から端末の方向を演算し、演算した方向に対してステップＳ２０４で重みづけを行う。その後は実施例１と同様の制御のため省略する。
【実施例３】
【００３０】
図７は本発明の実施例３に関わる映像表示装置の構成を示すブロック図である。
【００３１】
複数の電話端末である電話端末１１６ａ、電話端末１１６ｂ、電話端末１１６ｃはそれぞれを識別できる固有ＩＤを持ち、情報を送信するとき固有ＩＤも同時に送信する。プロジェクタ１０１は端末識別部１２１内のＲＯＭに固有ＩＤごとの通話状態と距離情報を記録し、各電話端末の通話・終了タイミングを監視する。そして最初に通話を開始した電話端末に対してプロジェクタは実施例１に記載のように音量・ＦＡＮ制御を行う。ただしこの電話端末が通話を終了する前に他の電話端末が通話を開始した場合、プロジェクタとの相対距離が一番近い電話端末の距離に対し音量・ＦＡＮ制御の再設定を行う。また複数台が通話中に上記の一番近い電話端末が通話終了した場合、次に近い電話端末に対して再設定を行い、全て通話終了したら終了フローを実行する。
【００３２】
図８は本発明の実施例３に関わる映像表示装置のフローチャートである。
【００３３】
ステップＳ３０１で電話端末１１６の情報を受信後、ステップＳ３０２で端末の固有ＩＤを記録する。そしてステップＳ３０３で通話開始した場合ステップＳ３０４に移行し距離を演算する。次にステップＳ３０５で既に他端末に対して音量やＦＡＮ制御をかけているかを判断し、制御中の場合はステップＳ３０６で他端末との現端末のどれが一番映像表示装置から近いか比較を行う。この結果からステップＳ３０７からステップＳ３１５で一番近い端末に対して再制御を行う。この間にステップＳ３１６で制御中の端末が通話終了したと判断した場合、ステップＳ３１７で全ての端末が通話終了しているか判断する。ここでまだ通話状態の端末があるとき、ステップＳ３０６に戻り次に近い端末に対して制御をかける。全ての端末が通話終了した場合ステップＳ３１８で元々の制御値を書き戻しシーケンスを終了する。
【符号の説明】
【００３４】
１０１  プロジェクタ、１０２  受信部、１０３  通話状態検出部、
１０４  距離情報抽出部、１０５  距離情報演算部、１０６  ＲＡＭ、
１０７  音声／ＦＡＮ設定記憶部、１０８  音声制御部、１０９  スピーカ、
１１０  ＦＡＮ制御部、１１１  ＦＡＮ、１１２  光源、１１３  温度検出部、
１１４  電源制御部、１１５  インターフェース部、１１６  電話端末、
１１７  着信検知部、１１８  通話状態判定部、１１９  送信部、
１２０  距離情報記憶部、１２１  端末識別部、１０９ａ  スピーカ１、
１０９ｂ  スピーカ２、１０２ａ  受信部１、１０２ｂ  受信部２、
１０２ｃ  受信部３、１１６ａ  電話端末１、１１６ｂ  電話端末２、
１１６ｃ  電話端末３
【図１】
2020107927.tif 000003
【図２】
2020107927.tif 000004
【図３】
2020107927.tif 000005
【図４】
2020107927.tif 000006
【図５】
2020107927.tif 000007
【図６】
2020107927.tif 000008
【図７】
2020107927.tif 000009
【図８】
2020107927.tif 000010